(57)【要約】【課題】  移動通信端末が加入する移動通信網のサービス圏外に位置する場合に、補助的な通信手段を用いて移動通信網からの着信を受けられるようにする。【解決手段】  移動通信網１に属する基地局（ＢＳ）２のサービス範囲３の圏外にある移動通信端末Ａ（ＭＳ−Ａ）４は、サービス圏内にある他の移動通信端末Ｂ（ＭＳ−Ｂ）５との間に近距離無線通信手段によるリンクを確立する。ＭＳ−Ｂ５の識別情報記憶部５７は近距離リンクを介して受け取ったＭＳ−Ａ４の移動端末識別情報を記憶し、制御部５８は当該移動端末識別情報を用いてＢＳ２との間に制御チャネルを確立する。ＢＳ２はＭＳ−Ａ４に対する着信をその制御チャネルを介してＭＳ−Ｂ５に送り、ＭＳ−Ｂ５はさらにＭＳ−Ａ４に中継する。【選択図】  図１
2005204213.tif 000002
【特許請求の範囲】
【請求項１】
移動通信網において移動端末識別情報を付与された加入者端末であって近距離無線通信手段を備えた第１の移動通信端末が、前記移動通信網のサービス圏外にあると判断したとき前記近距離無線通信手段を用いてサーチを行い、かつ、前記サーチの結果前記移動通信網のサービス圏内にある第２の移動通信端末を検出したとき、前記第２の移動通信端末との間で前記近距離無線通信手段を用いて近距離リンクを確立すると共に、前記近距離リンクを用いて前記第２の移動通信端末に対して前記移動端末識別情報を送信し、
前記第２の移動通信端末は、前記第１の移動通信端末から送信された前記移動端末識別情報を受信して記憶し、かつ、前記移動端末識別情報を用いて前記移動通信網との間で制御チャネルを確立すると共に、前記移動通信網から前記制御チャネルを経て前記第１の移動通信端末に対する着信があったときに前記近距離リンクを用いて前記第１の移動通信端末に対して前記着信を中継する
ことを特徴とする移動通信端末の着信制御方法。
【請求項２】
移動通信網において移動端末識別情報を付与された加入者端末であって近距離無線通信手段を備えた移動通信端末が、前記移動通信網のサービス圏外にあると判断したとき前記近距離無線通信手段を用いてサーチを行い、かつ、前記サーチの結果公衆網に接続された固定通信端末を検出したとき、前記固定通信端末との間で前記近距離無線通信手段を用いて近距離リンクを確立すると共に、前記近距離リンクを用いて前記固定通信端末に対して前記移動端末識別情報を送信し、
前記固定通信端末は、前記移動通信端末から送信された前記移動端末識別情報を受信すると共に、固有の固定端末識別情報を前記移動端末識別情報と相互に関連付けて前記公衆網に属する端末識別情報データベースに登録し、
前記公衆網に属する中継サーバが、前記移動通信端末に対する着信があったときに前記着信の宛て先である移動端末識別情報を用いて前記端末識別情報データベースを検索した結果、前記固定端末識別情報を検出したとき、前記固定通信端末を経由して前記移動通信端末に対して前記着信を中継する
ことを特徴とする移動通信端末の着信制御方法。
【請求項３】
移動通信網において移動端末識別情報を付与された加入者端末であると共に情報サービスに用いられるサーバのアドレス、利用者識別情報及びパスワードを記憶した前記情報サービスの利用者端末であって、前記情報サービスの利用者データベースに前記移動端末識別情報が前記利用者識別情報及びパスワードに関連付けて登録されると共に近距離無線通信手段を備えた第１の移動通信端末が、前記移動通信網のサービス圏外にあると判断したとき前記近距離無線通信手段を用いてサーチを行い、かつ、前記サーチの結果前記サーバに接続可能な通信デバイスを検出したとき、前記通信デバイスとの間で前記近距離無線通信手段を用いて近距離リンクを確立すると共に、前記近距離リンクを用いて前記通信デバイスに対して前記サーバのアドレス、前記利用者識別情報及び前記パスワードを送信し、
前記通信デバイスは、前記サーバのアドレスを用いて前記サーバに対して前記利用者識別情報及び前記パスワードを送信すると共に、前記サーバから返信された証明情報を確認して前記サーバに対して通信デバイス識別情報を送信し、
前記サーバは、前記通信デバイスから受信した利用者識別情報を用いて前記利用者データベースを検索した結果前記移動端末識別情報を検出したとき、前記通信デバイスから受信した通信デバイス識別情報を前記移動端末識別情報と相互に関連付けて前記利用者データベースに登録すると共に、前記サーバに接続された第２の移動通信端末に対して前記移動端末識別情報を送信し、
前記第２の移動通信端末は、前記移動通信網のサービス圏内にあるとき前記サーバから送信された前記移動端末識別情報を受信して記憶すると共に、前記移動端末識別情報を用いて前記移動通信網との間で制御チャネルを確立し、かつ、前記移動通信網から前記制御チャネルを経て前記第１の移動通信端末に対する着信があったときに前記サーバに対して前記着信を中継し、
前記サーバは、前記着信の宛て先である前記移動端末識別情報を用いて前記利用者データベースを検索した結果検出した前記通信デバイス識別情報を用いて、前記通信デバイスに対して前記着信を中継し、
前記通信デバイスは、前記近距離リンクを用いて前記第１の移動通信端末に対して前記着信を中継する
ことを特徴とする移動通信端末の着信制御方法。
【請求項４】
移動通信網において移動端末識別情報を付与された加入者端末との間で近距離リンクを確立する近距離無線通信手段と、
前記近距離リンクを用いて前記加入者端末から送信された前記移動端末識別情報を受信し記憶する手段と、
前記移動端末識別情報を用いて前記移動通信網との間で制御チャネルを確立する手段と、
前記移動通信網から前記制御チャネルを経て前記加入者端末に対する着信があったときに、前記近距離リンクを用いて前記加入者端末に対して前記着信を中継する手段とを
備えたことを特徴とする移動通信端末。
【請求項５】
移動通信網において移動端末識別情報を付与された加入者端末であって近距離無線通信手段を備え、前記移動通信網のサービス圏外にあると判断したとき、前記近距離無線通信手段を用いてサーチを行い、かつ、前記サーチの結果前記移動通信網のサービス圏内にある第２の移動通信端末を検出したとき、前記第２の移動通信端末との間で前記近距離無線通信手段を用いて近距離リンクを確立すると共に、前記近距離リンクを用いて前記第２の移動通信端末に対して前記移動端末識別情報を送信する第１の移動通信端末と、
前記第１の移動通信端末から送信された前記移動端末識別情報を受信して記憶すると共に、前記移動端末識別情報を用いて前記移動通信網との間で制御チャネルを確立し、かつ、前記移動通信網から前記制御チャネルを経て前記第１の移動通信端末に対する着信があったときに、前記近距離リンクを用いて前記第１の移動通信端末に対して前記着信を中継する第２の移動通信端末とから
構成されたことを特徴とする移動通信端末の着信制御システム。
【請求項６】
移動通信網において移動端末識別情報を付与された加入者端末であって近距離無線通信手段を備え、前記移動通信網のサービス圏外にあると判断したとき、前記近距離無線通信手段を用いてサーチを行い、かつ、前記サーチの結果公衆網に接続された固定通信端末を検出したとき、前記固定通信端末との間で前記近距離無線通信手段を用いて近距離リンクを確立すると共に、前記近距離リンクを用いて前記固定通信端末に対して前記移動端末識別情報を送信する移動通信端末と、
前記移動通信端末から送信された前記移動端末識別情報を受信すると共に、固有の固定端末識別情報を前記移動端末識別情報と相互に関連付けて前記公衆網に属する端末識別情報データベースに登録し、
前記公衆網に属する中継サーバが、前記移動通信端末に対する着信があったときに前記着信の宛て先である移動端末識別情報を用いて前記端末識別情報データベースを検索した結果、前記固定端末識別情報を検出したとき、前記中継サーバから前記移動通信端末に対して前記着信を中継する固定通信端末とから
構成されたことを特徴とする移動通信端末の着信制御システム。
【請求項７】
移動通信網において移動端末識別情報を付与された加入者端末であると共に情報サービスに用いられるサーバのアドレス、利用者識別情報及びパスワードを記憶した前記情報サービスの利用者端末であって、前記情報サービスの利用者データベースに前記移動端末識別情報が前記利用者識別情報及びパスワードに関連付けて登録されると共に近距離無線通信手段を備えた第１の移動通信端末と、前記サーバに接続可能な通信デバイスと、前記サーバ及び前記利用者データベースと、前記サーバに接続された第２の移動通信端末から構成された移動通信端末の着信制御システムにおいて、
前記第１の移動通信端末は、前記移動通信網のサービス圏外にあると判断したとき前記近距離無線通信手段を用いてサーチを行い、かつ、前記サーチの結果前記サーバに接続された通信デバイスを検出したとき、前記通信デバイスとの間で前記近距離無線通信手段を用いて近距離リンクを確立すると共に、前記近距離リンクを用いて前記通信デバイスに対して前記サーバのアドレス、前記利用者識別情報及び前記パスワードを送信し、
前記通信デバイスは、前記サーバのアドレスを用いて前記サーバに対して前記利用者識別情報及び前記パスワードを送信すると共に、前記サーバから返信された証明情報を確認して前記サーバに対して通信デバイス識別情報を送信し、
前記サーバは、前記通信デバイスから受信した利用者識別情報を用いて前記利用者データベースを検索した結果前記移動端末識別情報を検出したとき、前記通信デバイスから受信した通信デバイス識別情報を前記移動端末識別情報と相互に関連付けて前記利用者データベースに登録すると共に、前記サーバに接続された第２の移動通信端末に対して前記移動端末識別情報を送信し、
前記第２の移動通信端末は、前記移動通信網のサービス圏内にあるとき前記サーバから送信された前記移動端末識別情報を受信して記憶すると共に、前記移動端末識別情報を用いて前記移動通信網との間で制御チャネルを確立し、かつ、前記移動通信網から前記制御チャネルを経て前記第１の移動通信端末に対する着信があったときに前記サーバに対して前記着信を中継し、
前記サーバは、前記着信の宛て先である前記移動端末識別情報を用いて前記利用者データベースを検索した結果検出した前記通信デバイス識別情報を用いて、前記通信デバイスに対して前記着信を中継し、
前記サーバはさらに、前記着信の宛て先である前記移動端末識別情報を用いて前記利用者データベースを検索した結果検出した前記通信デバイス識別情報を用いて、前記通信デバイスに対して前記着信を中継し、前記通信デバイスはさらに、前記近距離リンクを用いて前記第１の移動通信端末に対して前記着信を中継する
ことを特徴とする移動通信端末の着信制御システム。
【発明の詳細な説明】
【技術分野】
【０００１】
本発明は移動通信端末の着信制御方法、移動通信端末及び移動通信端末の着信制御システムに係り、特に移動通信端末が加入する移動通信網のサービス圏外に位置する場合の着信制御方法及びこれを可能にする移動通信端末及びシステムに関する。
【背景技術】
【０００２】
移動通信端末が加入する移動通信網のサービス圏外に位置する場合に、補助的な通信手段（例えばブルートゥースに代表される近距離無線通信手段）を用いて他の移動通信端末等を中継することにより、移動通信網を介した通信を可能にすることが求められる場合がある。従来から、このような要請に応えるための発明がなされている（例えば、特許文献１又は特許文献２参照。）。
【０００３】
この特許文献１に開示された発明は、移動通信端末がサービス圏外に位置するため発信ができない場合に、近距離無線通信手段を用いて探索し検出した固定通信端末等の中継用デバイスを介して発信を行えるようにするものである。また、特許文献２に開示された発明は、移動通信端末が近距離無線通信手段によって中継用デバイスとの通信が可能であることを検知した場合には当該手段を優先的に用い、移動通信網は着信の自動転送機能を有することを前提に、事前の設定によって移動通信網からの当該移動通信端末への着信を中継用デバイスへ自動転送されるようにするものである。
【０００４】
しかし、これらの従来技術によっても、移動通信網の機能によらずに中継用デバイスを介して着信を受けることはできないという問題があった。
【特許文献１】特開２００３−４７０６４号公報  （第２、５、６ページ、図１）
【特許文献２】特開２００１−１０３５４９号公報  （第２ページ、図１）
【発明の開示】
【発明が解決しようとする課題】
【０００５】
上述した特許文献１に開示された従来の技術では、サービス圏外に位置する移動通信端末から発信することはできても、着信を受けることはできないという問題があった。また、上述した特許文献２に開示された従来の技術では、移動通信網が着信の自動転送機能を持たない場合には有効でないという問題があった。
【０００６】
本発明は上記問題を解決するためになされたもので、移動通信網の機能によらずサービス圏外に位置する移動通信端末において着信を受けることのできる移動通信端末の着信制御方法、移動通信端末及び移動通信端末の着信制御システムを提供することを目的とする。
【課題を解決するための手段】
【０００７】
上記目的を達成するために、本発明の移動通信端末の着信制御方法は、移動通信網において移動端末識別情報を付与された加入者端末であって近距離無線通信手段を備えた第１の移動通信端末が、前記移動通信網のサービス圏外にあると判断したとき前記近距離無線通信手段を用いてサーチを行い、かつ、前記サーチの結果前記移動通信網のサービス圏内にある第２の移動通信端末を検出したとき、前記第２の移動通信端末との間で前記近距離無線通信手段を用いて近距離リンクを確立すると共に、前記近距離リンクを用いて前記第２の移動通信端末に対して前記移動端末識別情報を送信し、前記第２の移動通信端末は、前記第１の移動通信端末から送信された前記移動端末識別情報を受信して記憶し、かつ、前記移動端末識別情報を用いて前記移動通信網との間で制御チャネルを確立すると共に、前記移動通信網から前記制御チャネルを経て前記第１の移動通信端末に対する着信があったときに前記近距離リンクを用いて前記第１の移動通信端末に対して前記着信を中継することを特徴とする。
【発明の効果】
【０００８】
本発明によれば、移動通信網のサービス圏内にある中継用デバイスが移動通信端末の移動端末識別情報（例えば加入者電話番号）を有して移動通信網に接続された状態にあるので、移動通信端末自体が移動通信網のサービス圏外にあっても、当該中継用デバイスを介して着信を受けることができる。
【発明を実施するための最良の形態】
【０００９】
以下、図面を参照して本発明の実施例を説明する。
【実施例１】
【００１０】
以下、図１及び図２を参照して、本発明の実施例１を説明する。図１は、本発明の実施例１に係る移動通信端末の着信制御システム及び当該システムにおいて中継用デバイスとして用いられる移動通信端末のブロック図である。図中の１は移動通信網であり、図示しない固定通信網と相互に接続され全体として公衆網を形成している。２は移動通信網１に属する基地局（ＢＳと略称する。）、３は地理的な基地局２のサービス範囲である。４は移動通信端末Ａ（ＭＳ−Ａと略称する。）であり、移動通信網１の加入者端末であるがサービス範囲３の圏外に位置している。これは、ＢＳ２が移動通信網１に属する基地局を一般的に表すと考えて、移動通信網１に属するいかなる基地局についてもＭＳ−Ａ４がそのサービス範囲の圏外に位置することを意味するものとする。
【００１１】
ＭＳ−Ａ４は近距離無線通信手段（例えばブルートゥース）を有しており、当該手段を用いて移動通信端末Ｂ（ＭＳ−Ｂと略称する。）５との間に近距離リンクを確立し、通信をすることができる。ＭＳ−Ｂ５は移動通信網１の加入者端末であり、サービス範囲３の圏内に位置している。
【００１２】
ＭＳ−Ｂ５は、移動通信網１に属するＢＳ２との間の通信手段である第１アンテナ５１、第１無線部５２及び第１変復調部５３を備えている。また、ＭＳ−Ａ４との間の近距離無線通信手段である第２アンテナ５４、第２無線部５５及び第２変復調部５６を備えている。ＭＳ−Ａ４から受信した移動端末識別情報（移動通信網１から付与されたＭＳ−Ａ４の加入者電話番号）は、識別情報記憶部５７に記憶される。制御部５８はＢＳ２との間の送受信を制御する。また着信中継部５９は、制御部５８が移動通信網１から受けたＭＳ−Ａ４への着信を上述した近距離無線通信手段を介してＭＳ−Ａ４に対して中継する。なお、ＭＳ−Ｂ５のその他の構成は図示を省略している。
【００１３】
次に図２を参照して、本発明の実施例１に係る移動通信端末の着信制御方法について説明する。図２は、本発明の実施例１に係る移動通信端末の着信制御方法を表すシーケンス図である。図中縦方向の３本の直線は、それぞれＭＳ−Ａ４、ＭＳ−Ｂ５及びＢＳ２に対応する。各直線上のブロックは対応する構成におけるイベントを表す。ＭＳ−Ａ４を表す直線とＭＳ−Ｂ５を表す直線との間を結ぶ矢印は、近距離リンクを介した通信イベントを表す。また、ＭＳ−Ｂ５を表す直線とＢＳ−２を表す直線との間を結ぶ矢印は、ＭＳ−Ｂ５とＢＳ−２との間の通信イベントを表す。
【００１４】
初めにＭＳ−Ａ４がＢＳ２のサービス範囲３の圏外であることを検出する（イベントＥ１）。するとＭＳ−Ａ４は、近距離通信手段による公知の方法を用いてサーチを行い（イベントＥ２）、同じ近距離通信手段を有して近距離通信可能な範囲に位置するＭＳ−Ｂ５からの応答を検出する（イベントＥ３）。その結果、ＭＳ−Ａ４とＭＳ−Ｂ５との間に近距離リンクが確立される（イベントＥ４）。
【００１５】
ＭＳ−Ａ４は近距離リンクが確立された後、自身の移動端末識別情報を近距離リンクを介してＭＳ−Ｂ５に対して送信する（イベントＥ５）。当該移動端末識別情報は、ＭＳ−Ｂ５の第２アンテナ５４及び第２無線部５５により受信され、第２変復調部５６により復調された後、識別情報記憶部５７に記憶される（イベントＥ６）。
【００１６】
すると制御部５８は、識別情報記憶部５７に記憶されたＭＳ−Ａ４の移動端末識別情報を参照し、当該移動端末識別情報を用いてＢＳ２に対して制御チャネルの確立を要求する（イベントＥ７）。ＢＳ２は当該要求を受けて、あたかもＭＳ−Ａ４が圏内にあるのと同様にして、ＭＳ−Ｂ５に対して制御チャネルの確立への同意を表す応答を返信する（イベントＥ８）。なおＭＳ−Ｂ５の内部において、確立の要求は制御部５８から第１変復調部５３、第１無線部５２及び第１アンテナ５１を介して送信され、同意の応答は同じ経路を逆にたどって制御部５８に到達する。以上の制御チャネルの確立要求及び同意の応答は公知の方法により行われるが、その際にＭＳ−Ｂ５が自身の移動端末識別情報ではなくＭＳ−Ａ４の移動端末識別情報を用いる点が本発明特有のものである。
【００１７】
これによりＭＳ−Ｂ５とＢＳ２との間に、ＭＳ−Ａ４の移動端末識別情報を前提とした制御チャネルが確立される（イベントＥ９）。この状態で移動通信網１から（又は移動通信網１を含む公衆網から）ＭＳ−Ａ４に対する着信がＢＳ２に到達する（イベントＥ１０）と、ＢＳ２は当該着信を、ＭＳ−Ａ４の移動端末識別情報に基づいて確立された制御チャネルを介してＭＳ−Ｂ５に送り（イベントＥ１１）、ＭＳ−Ｂ５はこれをＭＳ−Ａ４に中継する（イベントＥ１２）。
【００１８】
本発明の実施例１によれば、移動通信端末が移動通信網のサービス圏内になくても、近距離リンクで結ばれサービス圏内にある他の移動通信端末に中継させることにより、移動通信網又はこれを含む公衆網からの着信を受けることができる。
【実施例２】
【００１９】
以下、図３及び図４を参照して、本発明の実施例２を説明する。図３は、本発明の実施例２に係る移動通信端末の着信制御システムのブロック図である。図中の３１は固定通信網であり、図示しない移動通信網と相互に接続されて全体として公衆網を形成する。３２は固定通信網３１の加入者端末である固定通信端末で、中継サーバ３３により固定通信網３１に接続されている。３４は、固定端末識別情報（固定通信網３１から付与された加入者電話番号）を登録する端末識別情報データベースである。
【００２０】
一方、３５は上記の図示しない移動通信網の加入者端末であるがそのサービス圏外に位置している移動通信端末である。移動通信端末３５は近距離無線通信手段（例えばブルートゥース）を有しており、当該手段を用いて固定通信端末３２との間に近距離リンクを確立し、通信をすることができる。
【００２１】
次に図４を参照して、本発明の実施例２に係る移動通信端末の着信制御方法について説明する。図４（ａ）は、本発明の実施例２に係る移動通信端末の着信制御方法を表すシーケンス図である。図中縦方向の３本の直線は、それぞれ移動通信端末３５、固定通信端末３２及び中継サーバ３３に対応する。各直線上のブロック及び各直線間の矢印の意味は、図２と同じである。
【００２２】
初めに移動通信端末３５がサービス圏外にあることを検出して（イベントＥ４１）からイベントＥ４５までの処理は、移動通信端末３５の近距離リンクの相手方が別の移動通信端末ではなくて固定通信端末３２である点を除いて、図２と同じであるからその説明を省略する。移動通信端末３５から移動端末識別情報を受け取った固定通信端末３２は、中継サーバ３３を経由して当該情報を端末識別情報データベース３４に登録する。この登録は、固定通信端末３２の固有の固定端末識別情報（固定通信網３１から付与された固定通信端末３２の加入者電話番号）と相互に関連付けて行うものとする。図４（ｂ）は、そのような関連付けのもとに登録された例を表す図である。
【００２３】
ここで固定通信網３１から（又は固定通信網３１を含む公衆網から）移動通信端末３５に対する着信が中継サーバ３３に到達する（イベントＥ４７）と、中継サーバ３３は当該着信の宛て先である移動端末識別情報（例えば図４（ｂ）における“０９０−８７６５−４３２１”）に基づいて端末識別情報データベース３４の登録内容を検索する。その結果、当該移動端末識別情報と相互に関連付けられた固定端末識別情報（例えば図４（ｂ）における“０４２−１２３−４５６７”）が検出されると、中継サーバ３３はその検出された固定端末識別情報を持つ固定通信端末３２に当該着信を送る（イベントＥ４９）。固定通信端末３２は、当該着信をさらに移動通信端末３５に中継する（イベントＥ５０）。
【００２４】
本発明の実施例２によれば、移動通信端末が移動通信網のサービス圏内になくても、当該移動通信網と共に公衆網を形成する固定通信網に接続された固定通信端末との間に近距離リンクを確立して、当該固定通信端末に中継させることにより、移動通信網又は公衆網からの着信を受けることができる。
【実施例３】
【００２５】
以下、図５及び図６を参照して、本発明の実施例３を説明する。図５は、本発明の実施例３に係る移動通信端末の着信制御システムの構成を表した図である。図中の移動通信網１、ＢＳ２及びサービス範囲３は、図１と同じであるから同じ記号を用いている。１４は移動通信端末Ｃ（ＭＳ−Ｃと略称する。）であり、移動通信網１の加入者端末であるがサービス範囲３の圏外に位置している。これは、実施例１と同様、移動通信網１に属するいかなる基地局についてもＭＳ−Ｃ１４がそのサービス範囲の圏外に位置することを意味するものとする。ＭＳ−Ｃ１４は近距離無線通信手段（例えばブルートゥース）を有しており、当該手段を用いて通信デバイス１５との間に近距離リンクを確立し、通信をすることができる。
【００２６】
また、ＭＳ−Ｃ１４はサーバ１６が提供する情報サービスの利用者端末でもあり、情報サービス提供のためのネットワーク１７におけるサーバ１６のアドレス、利用者識別情報及びパスワードを記憶している。図５には煩雑を避けるため示していないが、情報サービス提供のためのネットワーク１７は移動通信網１と相互に接続され、ＭＳ−Ｃ１４は移動通信網１のサービス圏内にある場合には移動通信網１を経由してサーバ１６にアクセスすることができる。したがって、移動通信網１におけるＭＳ−Ｃ１４の移動端末識別情報が、上記の利用者識別情報及びパスワードと相互に関連付けて情報サービスの利用者データベース１８に登録されている。
【００２７】
なお、通信デバイス１５は情報サービス提供のためのネットワーク１７に定常的に接続されており、サーバ１６のアドレズを得ればサーバ１６にアクセスして接続することが可能である。また、サーバ１６には、移動通信網１の加入者端末であってＢＳ２のサービス圏内に位置する移動通信端末Ｄ（ＭＳ−Ｄと略称する。）１９が定常的に接続されている。
【００２８】
次に図６を参照して、本発明の実施例３に係る移動通信端末の着信制御方法について説明する。図６は、本発明の実施例３に係る移動通信端末の着信制御方法を表すシーケンス図である。図中縦方向の５本の直線は、それぞれＭＳ−Ｃ１４、通信デバイス１５、サーバ１６、ＭＳ−Ｄ１９及びＢＳ２に対応する。各直線上のブロック及び各直線間の矢印の意味は、図２と同じである。
【００２９】
初めにＭＳ−Ｃ１４がサービス圏外にあることを検出して（イベントＥ６１）からイベントＥ６４までの処理は、ＭＳ−Ｃ１４の近距離リンクの相手方が別の移動通信端末ではなくて通信デバイス１５である点を除いて、図２と同じであるからその説明を省略する。ＭＳ−Ｃ１４は、確立された近距離リンクを用いてサーバ１６のアドレス、利用者識別情報及びパスワードを通信デバイス１５に送る（イベントＥ６５）。
【００３０】
通信デバイス１５は、受け取ったアドレスに基づきサーバ１６に対して当該利用者識別情報及びパスワードを転送する（イベントＥ６６）。するとサーバ１６は通信デバイス１５に対して認証を受けたサーバであることを証明する証明情報を返信し（イベントＥ６７）、通信デバイス１５は当該証明情報を確認して自身の通信デバイス識別情報をサーバ１６に送る（イベントＥ６８）。
【００３１】
続いてサーバ１６は、通信デバイス１５から転送されたＭＳ−Ｃ１４の利用者識別情報に基づいて、予め移動通信端末の移動端末識別情報が利用者識別情報と相互に関連付けて登録されている利用者データベース１８を検索する。その結果ＭＳ−Ｃ１４の移動端末識別情報を検出すると、その移動端末識別情報と相互に関連付けて通信デバイス１５の通信デバイス識別情報を利用者データベース１８に登録する。図７は、そのような関連付けのもとに登録された例を表す図である。
【００３２】
次にサーバ１６は、ＭＳ−Ｃ１４の移動端末識別情報をＭＳ−Ｄ１９に送り（イベントＥ７０）、ＭＳ−Ｄ１９は実施例１のＭＳ−Ｂ５と同様にしてＭＳ−Ｃ１４の移動端末識別情報を受信して記憶する（イベントＥ７１）。その後、ＭＳ−Ｄ１９がＭＳ−Ｃ１４の移動端末識別情報を用いてＢＳ２に対して制御チャネルの確立を要求し、制御チャネルが確立するまで（イベントＥ７２からイベントＥ７４まで）の処理は、図１におけるイベントＥ７からＥ９までの処理と同じである。
【００３３】
ここで移動通信網１から（又は移動通信網１を含む公衆網から）ＭＳ−Ｃ１４に対する着信がＢＳ２に到達する（イベントＥ７５）と、ＢＳ２は当該着信を、ＭＳ−Ｃ１４の移動端末識別情報に基づいて確立された制御チャネルを介してＭＳ−Ｄ１９に送り（イベントＥ７６）、ＭＳ−Ｄ１９はさらにサーバ１６に中継する（イベントＥ７７）。サーバ１６は、当該着信の宛て先であるＭＳ−Ｃ１４の端末識別情報（例えば図７における“０９０−８７６５−４３２１”）に基づいて利用者データベース１８の登録内容を検索する（イベントＥ７８）。その結果、当該移動端末識別情報と相互に関連付けられた通信デバイス識別情報（例えば図７における“ＡＢＣ−ＤＥＦ−ＧＨＫ−Ｌ”）が検出されると、サーバ１６はその検出された通信デバイス識別情報を持つ通信デバイス１５に当該着信を送る（イベントＥ７９）。通信デバイス１５は、当該着信をさらにＭＳ−Ｃ１４に中継する（イベントＥ８０）。
【００３４】
本発明の実施例３によれば、移動通信端末が情報サービスの利用者端末でもあってその情報サービスの１形態として近距離リンクを用いた公衆網接続が可能である場合は、移動通信網のサービス圏内になくても公衆網からの着信を受けることができる。
【図面の簡単な説明】
【００３５】
【図１】本発明の実施例１に係る移動通信端末の着信制御システム及びその中継用デバイスである移動通信端末のブロック図。
【図２】本発明の実施例１に係る移動通信端末の着信制御方法のシーケンス図。
【図３】本発明の実施例２に係る移動通信端末の着信制御システムのブロック図。
【図４】（ａ）は本発明の実施例２に係る移動通信端末の着信制御方法のシーケンス図、（ｂ）は移動端末識別情報等の登録における関連付けを表す図。
【図５】本発明の実施例３に係る移動通信端末の着信制御システムのブロック図。
【図６】本発明の実施例３に係る移動通信端末の着信制御方法のシーケンス図。
【図７】本発明の実施例３に係る移動端末識別情報等の登録における関連付けを表す図。
【符号の説明】
【００３６】
１  移動通信網
２  基地局（ＢＳ）
３  サービス範囲
４  移動通信端末Ａ（ＭＳ−Ａ）
５  移動通信端末Ｂ（ＭＳ−Ｂ）
１４  移動通信端末Ｃ（ＭＳ−Ｃ）
１５  通信デバイス
１６  サーバ
１７  情報サービス提供のためのネットワーク
１８  利用者データベース
１９  移動通信端末Ｄ（ＭＳ−Ｄ）
３１  固定通信網
３２  固定通信端末
３３  中継サーバ
３４  端末識別情報データベース
３５  移動通信端末
５１  第１アンテナ
５２  第１無線部
５３  第１変復調部
５４  第２アンテナ
５５  第２無線部
５６  第２変復調部
５７  識別情報記憶部
５８  制御部
５９  着信中継部
【図１】
2005204213.tif 000003
【図２】
2005204213.tif 000004
【図３】
2005204213.tif 000005
【図４】
2005204213.tif 000006
【図５】
2005204213.tif 000007
【図６】
2005204213.tif 000008
【図７】
2005204213.tif 000009